(57)【要約】  上部及び下部偏光子、カラーフィルタ層、液晶層並びに薄膜トランジスタ層を有するディスプレイが提供される。カラーフィルタ層及び薄膜トランジスタ層は応力誘発性複屈折を受けるガラスなどの材料から形成されてよい。ディスプレイ性能を低下させる光漏れを低減するために、１つ以上の複屈折補償層がディスプレイ中に組み込まれてよく、任意の複屈折効果を補償するのに役立つ。補償層はカラーフィルタ層又は薄膜トランジスタ層に取り付けられている複屈折補償層を含んでもよい。ディスプレイはカラーフィルタ層に取り付けられている上部補償層及び薄膜トランジスタ層に取り付けられている下部補償層を含んでもよい。補償層は負の光弾性定数を有するガラス又はポリマー材料から形成されてよい。
2016518627.tif 000002
【特許請求の範囲】
【請求項１】
上部偏光子と、
下部偏光子と、
液晶層と、
前記上部偏光子と前記液晶層の間に挟入された第１のガラス層と、
前記下部偏光子と前記液晶層の間に挟入された第２のガラス層と、
前記上部偏光子と下部偏光子の間に配置された第３のガラス層と、
を備えることを特徴とする、ディスプレイ。
【請求項２】
前記第１のガラス層はカラーフィルタ層を含むことを特徴とする、請求項１に記載のディスプレイ。
【請求項３】
前記第２のガラス層は薄膜トランジスタ層を含むことを特徴とする、請求項２に記載のディスプレイ。
【請求項４】
前記第３のガラス層は前記薄膜トランジスタ層に取り付けられていることを特徴とする、請求項３に記載のディスプレイ。
【請求項５】
前記薄膜トランジスタ層に取り付けられている第４のガラス層を更に備え、前記第３のガラス層は前記カラーフィルタ層に取り付けられていることを特徴とする、請求項３に記載のディスプレイ。
【請求項６】
前記上部偏光子と下部偏光子の間に配置された第４のガラス層を更に備えることを特徴とする、請求項１に記載のディスプレイ。
【請求項７】
前記第３のガラス層は負の光弾性定数を有し、前記負の光弾性定数は−３．０ブリュースター未満の値を有することを特徴とする、請求項１に記載のディスプレイ。
【請求項８】
上部偏光子と、
下部偏光子と、
液晶層と、
前記上部偏光子と前記液晶層の間に挟入された第１のガラス層と、
前記下部偏光子と前記液晶層の間に挟入された第２のガラス層と、
前記上部偏光子と前記第１のガラス層の間に挟入された第１のポリマー層と、
前記下部偏光子と前記第２のガラス層の間に挟入された第２のポリマー層と、
を備えることを特徴とする、ディスプレイ。
【請求項９】
前記第１のポリマー層はポリスチレン、ポリスルホン及びポリメチルメタクリレートからなる群から選択されるポリマー材料を含むことを特徴とする、請求項８に記載のディスプレイ。
【請求項１０】
前記第１及び第２のポリマー層は各々負の光弾性定数を有することを特徴とする、請求項８に記載のディスプレイ。
【請求項１１】
前記第１及び第２のガラス層は各々正の光弾性定数を有することを特徴とする、請求項１０に記載のディスプレイ。
【請求項１２】
前記第１及び第２のポリマー層の各々の前記負の光弾性定数は−１０ブリュースター未満であり、前記第１及び第２のポリマー層は各々３０ＧＰａ未満のヤング率を有することを特徴とする、請求項１０に記載のディスプレイ。
【請求項１３】
前記第１のガラス層はカラーフィルタ層を含み、前記第１のポリマー層を前記カラーフィルタ層上に形成することを特徴とする、請求項１０に記載のディスプレイ。
【請求項１４】
第１の偏光子と、
第２の偏光子と、
液晶層と、
前記第１の偏光子と前記液晶層の間に挟入された第１の透明層と、
前記第２の偏光子と前記液晶層の間に挟入された第２の透明層と、
前記第１及び第２の透明層における応力誘発性複屈折を補償するように構成される、前記第２の透明層と前記第２の偏光子の間に配置された複屈折補償層と、
を備えることを特徴とする、ディスプレイ。
【請求項１５】
前記第１の透明層はガラスカラーフィルタ層を含み、前記第２の透明層はガラス薄膜トランジスタ層を含むことを特徴とする、請求項１４に記載のディスプレイ。
【請求項１６】
前記複屈折補償層はガラスを含むことを特徴とする、請求項１５に記載のディスプレイ。
【請求項１７】
前記複屈折補償層を前記ガラス薄膜トランジスタ層に取り付ける接着剤材料を更に備え、前記接着剤材料は前記複屈折補償層と前記ガラス薄膜トランジスタ層の間で矩形環状の接着剤を形成することを特徴とする、請求項１６に記載のディスプレイ。
【請求項１８】
前記ガラス薄膜トランジスタ層に前記複屈折補償層を取り付ける光学的に透明な接着剤の層を更に備えることを特徴とする、請求項１６に記載のディスプレイ。
【請求項１９】
前記複屈折補償層はポリマー材料を含むことを特徴とする、請求項１５に記載のディスプレイ。
【請求項２０】
前記第１の透明層と前記第１の偏光子の間に配置された付加的な複屈折補償層を更に備えることを特徴とする、請求項１４に記載のディスプレイ。
【発明の詳細な説明】
【背景技術】
【０００１】
本出願は、広くは電子機器に関し、より具体的には、ディスプレイを有する電子機器に関する。
【０００２】
電子機器は、多くの場合、ディスプレイを含む。例えば、セルラー電話機及びポータブルコンピュータは、多くの場合、ユーザに情報を呈示するためのディスプレイを含む。電子機器はプラスチック又は金属から形成される筐体などの筐体を有し得る。ディスプレイ部品などの電子機器の構成要素は筐体に搭載することができる。
【０００３】
電子機器の筐体にディスプレイを組み込むことは困難を伴い得る。サイズ及び重量は、多くの場合、電子機器の設計上重要な検討事項である。いくつかの実装構成においては、支持棒、筐体壁、ディスプレイベゼル及びその他の構造体はディスプレイを押し付ける場合があり、屈曲を引き起こす。注意しないと、ディスプレイが暗状態である場合、応力誘発性複屈折などの光学効果はディスプレイに好ましくない光漏れを示させることがある。
【０００４】
従って、電子機器のために改善されたディスプレイを提供することが可能となれば望ましいであろう。
【発明の概要】
【０００５】
電子機器はディスプレイを設けることができる。ディスプレイは上部及び下部偏光子を有し得る。カラーフィルタ層、液晶層及び薄膜トランジスタ層は上部及び下部偏光子に挟入されてもよい。バックライトユニットは、ディスプレイ層を通過するバックライトを提供することができる。
【０００６】
カラーフィルタ層及び薄膜トランジスタ層は、ディスプレイを電子機器の筐体に搭載された場合に応力誘発性複屈折を受けるガラスなどの材料から形成されてよい。１つ以上の内部層を上部及び下部偏光子の間のディスプレイに組み入れることにより光漏れを低減することができ、ディスプレイを通過する直線偏光されたバックライトが不所望に楕円偏光に変換されないことを保証するのに役立つ。
【０００７】
ディスプレイの内部層は１つ以上の複屈折補償層を含んでもよい。複屈折補償層はディスプレイのその他の層により発生させられた対応する偏光の変化を補償する偏光の変化を発生させる透明なディスプレイ層であってもよい。
【０００８】
複屈折補償層は薄膜トランジスタ層の光弾性定数及び／又はカラーフィルタ層の光弾性定数と符号が逆である光弾性定数を有するガラス層であってもよい。このタイプの複屈折補償層は光学的に透明な接着剤などの接着剤を用いて薄膜トランジスタ層又はカラーフィルタ層に取り付けられてよい。しかしながら、これは単なる例示に過ぎない。
【０００９】
別の実施形態において、複屈折補償層はポリスチレンフィルムなどのポリマー材料から形成されてよい。ポリスチレンフィルムはカラーフィルタ層及び薄膜トランジスタ層の一つ又は両方に接合され得るか又はカラーフィルタ層及び薄膜トランジスタ層の一つ又は両方の上へとコーティングされ得る。
【００１０】
本発明の更に別の特徴、その性質、及び種々の効果は、添付図面及び好ましい実施形態の以下の詳細な説明から明らかとなろう。
【図面の簡単な説明】
【００１１】
【図１】本発明の一実施形態に係る、ディスプレイを有するラップトップコンピュータなどの例示的な電子機器の斜視図である。
【図２】本発明の一実施形態に係る、ディスプレイを有する携帯型電子機器などの例示的な電子機器の斜視図である。
【図３】本発明の一実施形態に係る、ディスプレイを有するタブレットコンピュータなどの例示的な電子機器の斜視図である。
【図４】本発明の実施形態に係る、ディスプレイを有する例示的な電子機器の概略図である。
【図５】本発明の一実施形態に係る、例示的なディスプレイの断面側面図である。
【図６】ガラス層に引張応力を印加すると応力誘発性複屈折がどのように発生し得るかを示す、薄膜トランジスタ層又はカラーフィルタ層におけるガラス層などのディスプレイ層の断面側面図である。
【図７】ガラス層に圧縮応力を印加するとどのように応力誘発性複屈折が発生し得るかを示す、カラーフィルタ層の薄膜トランジスタ層におけるガラス層などのディスプレイ層の断面側面図である。
【図８】屈曲を受けており、ディスプレイ内の応力誘発性複屈折を示すガラス層などの材料層の断面側面図である。
【図９】本発明の一実施形態に係る、ディスプレイを機器筐体内に搭載することにより付与された力により屈曲を受けているガラス層を有するディスプレイの断面側面図である。
【図１０Ａ】従来の液晶ディスプレイ内のディスプレイ層の断面図である。
【図１０Ｂ】各層が応力誘発性複屈折を受ける場合、図１０Ａの従来のディスプレイ層を通過する場合にバックライトの偏光がどのように変化し得るかを示すポアンカレ球である。
【図１１Ａ】本発明の一実施形態に係る、応力誘発性複屈折により光漏れを低減するのに役立つ複屈折補償層を有する液晶ディスプレイ内のディスプレイ層の断面図である。
【図１１Ｂ】本発明の一実施形態に係る、層のいくつかにおける応力誘発性複屈折の存在下で図１１Ａのディスプレイ層を通過する場合、バックライトの偏光がどのように変化し得るかを示すポアンカレ球である。
【図１２】本発明の一実施形態に係る、カラーフィルタ層に取り付けられた複屈折補償層を有する液晶ディスプレイ内のディスプレイ層の断面図である。
【図１３Ａ】本発明の一実施形態に係る、光学的に透明な接着剤の層を用いて薄膜トランジスタ層に取り付けられた複屈折補償層を有する液晶ディスプレイ内のディスプレイ層の断面図である。
【図１３Ｂ】本発明の一実施形態に係る、層のいくつかにおける応力誘発性複屈折の存在下で図１３Ａのディスプレイ層を通過する場合、バックライトの偏光がどのように変化し得るかを示すポアンカレ球である。
【図１４】本発明の一実施形態に係る、光学的に透明な接着剤の層を用いてカラーフィルタ層に取り付けられた複屈折補償層を有する液晶ディスプレイ内のディスプレイ層の断面図である。
【図１５Ａ】本発明の一実施形態に係る、複数の複屈折補償層を有する液晶ディスプレイ内のディスプレイ層の断面図である。
【図１５Ｂ】本発明の一実施形態に係る、層のいくつかにおける応力誘発性複屈折の存在下で図１５Ａのディスプレイ層を通過する場合、バックライトの偏光がどのように変化し得るかを示すポアンカレ球である。
【図１６】本発明の一実施形態に係る、薄膜トランジスタ層及びカラーフィルタ層の表面上にポリマーフィルムから形成される複屈折補償層を有する液晶ディスプレイ内のディスプレイ層の断面図である。
【発明を実施するための形態】
【００１２】
電子機器はディスプレイを含んでよい。ディスプレイを使用してユーザに画像を表示できる。ディスプレイを設けることができる例示的な電子機器を図１、図２及び図３に示す。
【００１３】
図１は電子機器１０が、どのようにキーボード１６及びタッチパッド１８などの構成要素を備える上部筐体１２Ａ及び下部筐体１２Ｂを有するラップトップコンピュータの形状を有し得るかを示す。機器１０は上部筐体１２Ａが下部筐体１２Ｂに対して回転軸２４中心に方向２２へ回転することを可能にするヒンジ構造２０を有し得る。ディスプレイ１４は上部筐体１２Ａ内に搭載されてよい。ディスプレイ筐体又は蓋と称されることもあり得る上部筐体１２Ａは上部筐体１２Ａを回転軸２４中心に下部筐体１２Ｂに向かって回転することにより閉位置に置かれてもよい。
【００１４】
図２は電子機器１０がどのように携帯電話、音楽プレーヤー、ゲーミングデバイス、ナビゲーションユニット又はその他の小型機器などの携帯用機器であり得るかを示す。機器１０のこの種の構成において、筐体１２は対向する前側及び後側表面を有し得る。筐体１２の正面にディスプレイ１４を搭載することができる。ディスプレイ１４は、所望する場合、ディスプレイカバー層又はボタン２６などの構成要素の開口部を含むその他の外層を有し得る。開口部は、また、スピーカポート（例えば、図２のスピーカポート２９を参照すること）に適合するようにディスプレイカバー層又はその他のディスプレイ層内に形成されてもよい。
【００１５】
図３は電子機器１０がどのようにタブレットコンピュータであり得るかを示す。図３の電子機器１０内において筐体１２は対向する平面の前側及び後側表面を有し得る。ディスプレイ１４を筐体１２の前面に搭載することができる。図３に示すように、（一例として）ボタン２６に適合するように、ディスプレイ１４はカバー層又は開口部を有するその他の外面層を有し得る。
【００１６】
図１、図２及び図３に示す機器１０の例示的構成は単なる例示に過ぎない。一般に、電子機器１０はラップトップコンピュータ、組み込み型コンピュータ、タブレットコンピュータ、携帯電話、メディアプレーヤー又はその他のハンドヘルド若しくはポータブル電子機器、腕時計型機器、ペンダント型機器、ヘッドホン型若しくはイヤホン型機器などの小さめの機器又はその他の着用可能な若しくはミニチュア機器、テレビ、組み込み型コンピュータ、ゲーミングデバイス、ナビゲーションデバイス、ディスプレイを有する電子装置をキオスク又は自動車に搭載するシステムなどの組み込みシステム、２つ又はそれ以上のこれらの機器の機能を実装する装置又はその他の電子装置を含まないコンピュータディスプレイを含むコンピュータ用モニターであってもよい。
【００１７】
ケースと称されることもある機器１０の筐体１２はプラスチック、ガラス、セラミックス、炭素繊維複合材及びその他の繊維系複合材、金属（例えば、加工されたアルミニウム、ステンレス鋼又はその他の金属）、その他の材料又はこれらの材料の組み合わせなどの材料で形成することも可能である。筐体１２の大部分又は全てが単一の構造要素（例えば、一片の加工された金属又は一片の成形プラスチック）から形成されている単一本体構造を用いて機器１０を形成してよく、又は複数の筐体構造体（例えば、内部フレーム要素又はその他の内部筐体構造体に搭載されている外部筐体構造体）から形成されてよい。
【００１８】
ディスプレイ１４はタッチセンサを含むタッチセンシティブディスプレイであってもよく、又はタッチに反応しなくてもよい。ディスプレイ１４のタッチセンサは容量性タッチセンサ電極のアレイ、抵抗性タッチアレイ、音響タッチ、光学式タッチ若しくは感圧式タッチ技術に基づくタッチセンサ構造体又はその他の好適なタッチセンサコンポーネントから形成されてよい。
【００１９】
機器１０のディスプレイは、一般に、発光ダイオード（ＬＥＤ）、有機ＬＥＤ（ＯＬＥＤ）、プラズマセル、エレクトロウェッティングピクセル、電気泳動ピクセル、液晶ディスプレイ（ＬＣＤ）構成要素、又はその他の好適な画像ピクセル構造体から形成される、画像ピクセルを含むことができる。場合によっては、ディスプレイ１４を形成するためにＬＣＤコンポーネントを使用するのが望ましい場合もあり、故に、ディスプレイ１４が液晶ディスプレイであるディスプレイ１４の構成は一例として本明細書で記載されることもある。バックライト構造を有するディスプレイ１４などのディスプレイを提供することが望ましい場合もあり、故に、バックライトユニットを含むディスプレイ１４の構成は一例として本明細書で記載されることもあり得る。
【００２０】
ディスプレイカバー層はディスプレイ１４の表面又はカラーフィルタ層などのディスプレイ層をカバーしてよく、又はディスプレイのその他の部分はディスプレイ１４内の最も外側の（又はほぼ最も外側の）層として用いてもよい。ディスプレイカバー層又はその他の外側ディスプレイ層は透明なガラスシート、クリアプラスチック層又はその他の透明部材から形成されてよい。
【００２１】
酸化インジウムスズなどの透明な材料から形成された容量性タッチセンサ電極のアレイなどのタッチセンサコンポーネントをディスプレイカバー層の下面上に形成してよく、ガラス又はポリマータッチセンサ基板などの別々のディスプレイ層上に形成してよく、又はその他のディスプレイ層（例えば、薄膜トランジスタ層などの基板層）に一体化されてよい。
【００２２】
電子機器１０に使用できる例示的な構成の概略図を図４に示す。図４に示すように、電子機器１０は、制御回路２８を含むことができる。制御回路２８は機器１０の動作を制御するための記憶及び処理回路を含んでもよい。制御回路２８は、例えば、ハードディスクドライブ記憶装置などの記憶域、非揮発性メモリ（例えば、フラッシュメモリ、又はソリッドステートドライブを形成するために構成されたその他の電気的にプログラムできる読み出し専用メモリ）、揮発性メモリ（例えば、静的又は動的ランダムアクセスメモリ）などを含むこともできる。制御回路２８は、１つ以上のマイクロプロセッサ、マイクロコントローラ、デジタル信号プロセッサ、ベースバンドプロセッサ、電力管理ユニット、音声コーデックチップ、特定用途向け集積回路などに基づく処理回路を含んでもよい。
【００２３】
制御回路２８を使用して、オペレーティングシステムソフトウェア及びアプリケーションソフトウェアなどの機器１０上のソフトウェアを実行してよい。このソフトウェアを用いて、制御回路２８はディスプレイ１４上に電子機器１０のユーザに情報を呈示することができる。ディスプレイ１４上にユーザに情報を呈示する場合、ディスプレイ１４のために用いられるバックライト照明の強度の調整を行う際に、センサ信号及びその他の情報を制御回路２８により用いてもよい。
【００２４】
機器１０にデータを供給することを可能とし、機器１０から外部機器にデータを供給することを可能とするために、入出力回路３０を使用することができる。入出力回路３０は、通信回路３２を含むことができる。通信回路３２は機器１０内のデータポートを用いて通信をサポートする有線通信回路を含んでもよい。通信回路３２は、また、無線通信回路（例えば、アンテナを用いて無線高周波信号を送受信するための回路）を含んでもよい。
【００２５】
入出力回路３０は、また、入出力装置３４を含むことができる。ユーザは、入出力装置３４を介してコマンドを供給することによって機器１０の動作を制御でき、入出力装置３４の出力リソースを用いてステータス情報及び機器１０からのその他の出力を受け取れる。
【００２６】
入出力装置３４は周囲光センサ、近接センサ、温度センサ、圧力センサ、磁気センサ、加速度計並びに発光ダイオードなどのセンサ及び状態インジケータ３６及び機器１０が動作しており、機器１０の状態について機器１０のユーザに情報を提供している環境についての情報を収集するためのその他の構成要素を含んでもよい。
【００２７】
オーディオコンポーネント３８は機器１０のユーザに音を呈示するためのスピーカ及び音源並びにユーザ音声入力を収集するためのマイクロフォンを含んでもよい。
【００２８】
ディスプレイ１４を使用して、テキスト、映像及び静止画像などのユーザのための画像を呈示してよい。センサ３６はディスプレイ１４内の層の一つとして形成されるタッチセンサアレイを含んでもよい。
【００２９】
ボタン並びにタッチパッドセンサ、ボタン、ジョイスティック、クリックホイール、スクロールホイール、ディスプレイ１４内のセンサ３６などのタッチセンサ、キーパッド、キーボード、振動器、カメラ及びその他の入出力コンポーネントなどのその他の入出力コンポーネント４０を用いてユーザ入力を収集することができる。
【００３０】
機器１０のディスプレイ１４のために（例えば、図１、図２若しくは図３の機器又はその他の好適な電子機器のディスプレイ１４のために）用いてよい例示的な構成の断面図を図５に示す。図５に示すように、ディスプレイ１４は、バックライト４４を生成するためのバックライトユニット４２などのバックライト構造体を含むことができる。動作中に、バックライト４４が（図５の配向においてＺ次元に垂直上向きに）外側へ進み、ディスプレイ層４６内の表示画素構造体を通過する。これはユーザが見るために表示画素により生成されている任意の画像を照らす。例えば、バックライト４４は方向５０のビューア４８により見られているディスプレイ層４６上の画像を照らすことができる。
【００３１】
筐体１２内に搭載するためのディスプレイモジュールを形成するために、ディスプレイ層４６をプラスチックシャーシ構造体及び／又は金属シャーシ構造体などのシャーシ構造体に搭載することができ、又はディスプレイ層４６を（例えば、ディスプレイ層４６を筐体１２内の凹部分に積層することにより）筐体１２内に直接搭載することができる。ディスプレイ層４６は液晶ディスプレイを形成でき、又はその他の種類のディスプレイを形成するのに用いることもできる。
【００３２】
ディスプレイ層４６が液晶ディスプレイを形成するのに用いられる構成において、ディスプレイ層４６は、液晶層５２などの液晶層を含んでもよい。液晶層５２をディスプレイ層５８及び５６などのディスプレイ層の間に挟むことができる。層５６及び５８は下部偏光子層６０と上部偏光子層５４の間に挟入されてもよい。
【００３３】
層５８及び５６はガラス又はプラスチックのクリア層などの透明基板層から形成されてよい。層５６及び５８は薄膜トランジスタ層及び／又はカラーフィルタ層などの層であってもよい。（例えば、薄膜トランジスタ層及び／又はカラーフィルタ層を形成するために）導電性配線、カラーフィルタ要素、トランジスタ並びにその他の回路及び構造体は層５８及び５６の基板上に形成してよい。タッチセンサ電極は、また、層５８及び５６などの層の中に組み込まれてもよく、及び／又はタッチセンサ電極はその他の基板上に形成してよい。
【００３４】
１つの例示的な構成で、層５８は、薄膜トランジスタのアレイ及び、液晶層５２に電界を印加し、それによってディスプレイ１４上に画像を表示するための関連している電極（表示画素電極）を含む薄膜トランジスタ層であってもよい。層５６はカラー画像を表示する能力を有するディスプレイ１４を提供するためのカラーフィルタ要素のアレイを含むカラーフィルタ層であってもよい。所望する場合、層５８はカラーフィルタ層であってもよく、層５６は薄膜トランジスタ層であってもよい。
【００３５】
機器１０内のディスプレイ１４の動作中に、制御回路２８（例えば、図５のプリント回路６６上の構成要素６８などの１つ以上の集積回路）を使用して、ディスプレイ１４上に表示される情報（例えば、表示データ）を生成してよい。表示される情報は（一例として）フレキシブルプリント回路６４内の導電性金属配線から形成された信号経路などの信号経路を用いてディスプレイ駆動集積回６２に回路６８から移送されてもよい。
【００３６】
ディスプレイ駆動集積回路６２は薄膜トランジスタ層駆動出っ張り８２上又は機器１０内のどこかに搭載することができる。フレキシブルプリント回路６４などのフレキシブルプリント回路ケーブルは、プリント回路６６と薄膜トランジスタ層６０の間の信号を経路指定する際に用いてもよい。所望する場合、ディスプレイ駆動集積回路６２はプリント回路６６又はフレキシブルプリント回路６４上に搭載することができる。プリント回路６６はリジッドプリント回路板（例えば、ガラス繊維充填エポキシの層）又はフレキシブルプリント回路（例えば、ポリイミドの可撓性シート又はその他の軟質ポリマー層）から形成されてよい。
【００３７】
バックライト構造４２は導光板７８などの導光板を含んでもよい。導光板７８は、クリアガラス又はプラスチックなどの透明材料から形成することができる。バックライト構造４２の動作中に、光源７２などの光源は光７４を発生させることができる。光源７２は、例えば、発光ダイオードのアレイであってもよい。
【００３８】
光源７２からの光７４を導光板７８のエッジ面７６に連結してよく、全内部反射の原理により導光板７８全体を通して次元Ｘ及びＹに配光されてもよい。導光板７８はピット又はバンプなどの光散乱機構を含んでもよい。光散乱機構は導光板７８の上部表面上に及び／又は対向する下部表面上に配置されてもよい。
【００３９】
導光板７８から方向Ｚに上向きに散乱する光７４はディスプレイ１４のバックライト４４として機能してもよい。下向きに散乱する光７４はリフレクタ８０により上向きの方向に反射されて戻ってくることができる。リフレクタ８０は、白色プラスチック又はその他の光る材料の層などの反射材料から形成することができる。
【００４０】
バックライト構造４２のバックライト性能を高めるために、バックライト構造４２は光学フィルム７０を含んでもよい。光学フィルム７０はバックライト４４を均質化するのに役立つ拡散層を含んでもよく、それによってホットスポット、軸外視聴を強化するための補償フィルム及びバックライト４４をコリメートするための輝度向上フィルム（また、回転フィルムと称されることもある）を減らす。光学フィルム７０は導光板７８及びリフレクタ８０などのバックライトユニット４２内のその他の構造体に重なり得る。例えば、導光板７８が図５のＸ−Ｙ平面に長方形の設置面積を有する場合、光学フィルム７０及びリフレクタ８０は適合する長方形の設置面積を有し得る。
【００４１】
ディスプレイ１４を筐体に搭載する場合、薄膜トランジスタ層５８及びカラーフィルタ層５６などのディスプレイ１４の層（例えば、ディスプレイのガラス層）は応力を受け得る。（例えば、支持棒、筐体壁、内部フレーム構造体、ディスプレイベゼル、接着剤並びにその他の実装及び支持構造を用いて）ディスプレイ１４を筐体１２内に搭載する場合、ディスプレイ１４の層を屈曲することにより応力が付与される。屈曲した場合、ディスプレイ１４の層の光学挙動はディスプレイ層を形成する際に用いられる材料の種類に依存する。
【００４２】
図６に示すように、対向する外側方向９４にガラス層９２の端部９０を引っ張ることによりガラス層９２などのガラス層が引張応力を受ける場合、ガラスの光軸（異常軸）が応力の方向に（すなわち、図６の配向におけるページ内に水平に）平行に延びるように、ガラス層は複屈折を示す場合がある。ガラス層の通常軸はガラス層９２の平面上の光軸に垂直に延び得る。
【００４３】
図７に示すように、対向する内側方向９６にガラス層９２の端部９０を押すことによりガラス層９２などのガラス層が圧縮応力を受ける場合、ガラスの光軸（異常軸）が応力の方向に（すなわち、図６の配向におけるページ内に）平行に延びるように、ガラス層は複屈折を示す場合がある。通常軸は層９２の平面上の異常軸に垂直に延び得る。
【００４４】
図８のガラス層９２などの屈曲したガラス層は上部表面９８に沿って（例えば、ガラス層９２の縁の近傍に）圧縮応力を示す場合があり、下部表面１００に沿って引張応力を示す場合がある。その結果、ガラス層９２は上部表面９８に沿って図８のページ内に延びる光軸１０２などの光軸及び下部表面１００に沿って図８のページに平行に延びる光軸１０４などの光軸で特徴づけられてよい。
【００４５】
図９に示すように、カラーフィルタ層５６及び薄膜トランジスタ層５８などのディスプレイ１４の層を機器筐体１２内に搭載する場合、これらの層は（例えば、筐体１２内のディスプレイ１４を搭載する場合に導入された力から）屈曲し得る。層５６及び５８の屈曲は応力誘発性複屈折を生じさせ得る。注意しないと、ディスプレイがユーザによって見られる場合にディスプレイの暗状態の光漏れを引き起こすことによりこの複屈折はディスプレイの性能に悪影響を与える可能性がある。
【００４６】
層５６及び５８はガラス層又は図６、図７及び図８と関連して記載されているタイプの光学特性を有するその他の材料の層であってもよい。シーラント１０６（例えば、接着剤のビード）などのシーラントの層はカラーフィルタ層５６と薄膜トランジスタ層５８の間に挟入されてもよい。シーラント１０６は矩形環状にディスプレイ１４の周辺に延びることができ、液晶材料５２を取り囲み封入することができる。屈曲において層５２及び５８が単体として機能するように、シーラント１０６の存在により層５２及び５８を接合できる。層５２及び５８の中立軸はシーラント１０６の中央にあるため、示したように屈曲した場合、層５２は正味圧縮応力を有する一方、層５６は正味引張応力を有する。これらの正味応力は層５６の縁の近傍の（例えば、エッジ領域ＥＲ内の）層５６の光軸１０８を図９のページ内に向けさせ、層５８の縁の近傍の（例えば、エッジ領域ＥＲ内の）層５８の光軸１１０を層５８の平面上に位置させる（図９の実施例においてページ内に位置させ、右に向ける）。（エッジ領域ＥＲに特によく見られる）層５８及び５６の垂直の光軸は、従来のディスプレイ内の光漏れを引き起こすこれらの層を通過するバックライトの偏光状態の変化をもたらし得る。
【００４７】
図１０Ａは応力誘発性複屈折を受け得るガラス層を有する従来のディスプレイの断面側面図である。図１０に示すように、図１０Ａのディスプレイは液晶層１１６を薄膜トランジスタ層１１４とカラーフィルタ層１１８の間に挟む液晶ディスプレイである。ディスプレイは図１０の層より上及び下にそれぞれ配置された上部及び下部偏光子を有する。バックライトは方向Ｚにディスプレイを通って垂直上向きに進むバックライト１１２を発生させることができる。下部偏光子を通過すると（すなわち、図１０のＡ点において）、バックライト１１２は直線偏光され得る（すなわち、下部偏光子はバックライト１１２上に直線偏光を付与し得る）。光１１２の偏光は、次に、（応力誘発性複屈折を示している）薄膜トランジスタ層１１４を通ってＡ点からＢ点へ通過することにより、（複屈折性である）液晶１１６を通ってＢ点からＣ点へ通過することにより及び（応力誘発性複屈折を示している）カラーフィルタ層１１８を通ってＣ点からＤ点へ通過することにより影響され得る。ディスプレイ内の上部及び下部偏光子は、通常、応力誘発性複屈折を示さず、図１０Ａに示されていない。
【００４８】
バックライト１１２が図１０Ａの従来のディスプレイの層を通って進むようなバックライト１１２の偏光状態が図１０Ｂのポアンカレ球に示されている。ポアンカレ球において、直線偏光状態は赤道１３０上の点によって表される。点１３２は右円偏光を表す。点１３４は左円偏光を表す。ポアンカレ球上の中間点は様々な種類の楕円偏光を表す。
【００４９】
図１０Ａの層の各々は異なる方向に整列された光軸を有する。光漏れが起きるディスプレイの部分を表す図１０Ｂのポアンカレ球表示において、薄膜トランジスタ層１１４は光軸１２２で特徴づけられ、カラーフィルタ層１１８は光軸１２４で特徴づけられ、液晶層１１６は光軸１２０で特徴づけられる。しかしながら、これは単なる例示に過ぎない。光軸１２０はインプレーンスイッチング（ＩＰＳ）ＬＣＤディスプレイ又はフレンジフィールドスイッチング（ＦＦＳ）ＬＣＤディスプレイなどの液晶ディスプレイのｅモード光軸を表し得る。しかしながら、その他のＬＣＤモードを用いてもよい。ＬＣＤ光軸はその他のＬＣＤモードによって異なり得る。
【００５０】
ポアンカレ球上において、赤道１３０上の各点Ｐに対するベクトルの方位角αは２θに等しく、θは実際の物理的角度（例えば、ディスプレイ層の光軸の配向に関連する実空間における方位角又はディスプレイを通過している光１１２などの光の偏光に関連した角度）に等しい。その結果、図１０Ｂのポアンカレ球表示においてお互いに垂直であるように見える薄膜トランジスタ層軸１２２及び液晶層軸１２０などの一対の軸は、ディスプレイの現実の座標系内に、お互いに対して４５°の角度で配向される。同様に、図１０Ｂのポアンカレ球表示において１８０°で分離されているように見える薄膜トランジスタ層軸１２２及びカラーフィルタ層軸１２４などの一対の軸は、ディスプレイの現実の座標系内において、お互いに対して９０°の角度で配向される（すなわち、軸１２４は軸１２２に垂直である）。
【００５１】
光１１２の偏光の挙動は各光軸の配向及び図１０Ａのディスプレイ内の各層の厚さにより影響を受ける。図１０Ｂに示すように、光１１２はまず直線偏光される（Ａ点）。層１１４を通過した後に、光１１２の偏光は図１０Ｂのポアンカレ球上のＢ点で表される（すなわち、層１１４の応力誘発性複屈折により光１１２は直線偏光から楕円偏光に変換される）。視覚的に、ポアンカレ球の表面上の線１４０に沿ったＡ点からＢ点への遷移は球体の表面上の薄膜トランジスタ層光軸１２２を中心にしたＡ点の回転に関連する。光１１２が層１１４を通過した後に、光１１２は液晶層１１６を通過する。層１１６が光１１２の偏光を図１０Ｂのポアンカレ球上の線１４２に沿ってＢ点からＣ点へ移動させる（液晶層光軸１２０を中心に回転する）。
【００５２】
液晶層１１６を通って進んだ後、光１１２は層１１８を通過する。層１１８の複屈折が光１１２の偏光をＣ点で表される偏光状態から図１０Ｂのポアンカレ球の線１４４に沿ったＤ点で表される偏光状態へ変化させる（カラーフィルタ層光軸１２４を中心に回転する）。
【００５３】
液晶層１１６が存在してこなかった場合、線１４４及び１４０に関連した偏光状態変化はお互いを相殺し、光１１２の直線偏光に微小変化しかもたらさないであろう（すなわち、光１１２はＡ点で表される偏光状態を伴って直線偏光されたままであり、ディスプレイは良好に動作するであろう）。しかしながら、液晶層１１６及びＢ点からＣ点への光１１２の偏光状態の関連した遷移が存在するために、点Ｄにおける光１１２（すなわち、図１０Ａのカラーフィルタ層１１８の上部表面から出て行く光１１２）は、所望のように直線偏光されているのでなく実質的に楕円偏光される。この楕円偏光が透過軸が下部偏光子に垂直である上部偏光子を通過する場合、期待どおりに光が上部偏光子に垂直の方向に直線偏光されないという事実により、液晶層１１６に印加されている電界が黒表示画素を表示することを試みている場合でさえ、一部の光が上部偏光子を通ってディスプレイの上部表面から漏れてしまう。従来のディスプレイのディスプレイ性能は、従って、従来のディスプレイがディスプレイの層における応力誘発性複屈折の存在下で良好に黒色画像を表示する能力がないことにより制限される。
【００５４】
応力誘発性複屈折を取り扱う際の従来のディスプレイの欠点に対処する設計を有する例示的なディスプレイ構成を図１１Ａ、図１２、図１３Ａ、図１４、図１５Ａ及び図１６に示す。
【００５５】
図１１Ａの例に示すように、ディスプレイ１４は層１７０などの複屈折補償層を設けることができる。複屈折補償層１７０はＴＦＴガラス５８及びカラーフィルタ（ＣＦ）ガラス５６の光弾性定数と符号が逆である光弾性定数を有する材料から形成されてよい。比較的大きい大きさの光弾性定数を有する補償層材料は補償層１７０の厚さを減らすために用いてもよい。
【００５６】
例えば、ＴＦＴガラス５８及びカラーフィルタガラス５６は３．０と３．６ブリュースターの間の光弾性定数を有し得る。この種の構成において、複屈折補償層１７０は（一例として）−３．０と−３．６ブリュースターの間の光弾性定数を有するガラスから形成されてよい。補償層１７０は（例として）０．１ｍｍと０．９ｍｍの間、０．２ｍｍと０．４ｍｍの間、０．１ｍｍと０．４ｍｍの間、１ｍｍ未満又は０．１ｍｍより大きい厚さを有するガラス層であってもよい。ＴＦＴガラス５８及びカラーフィルタガラス５６は（例として）０．１ｍｍと０．９ｍｍの間、０．５ｍｍと０．９ｍｍの間、０．６ｍｍと０．８ｍｍの間、１ｍｍ未満、又は０．１ｍｍより大きい厚さを各々有してよい。
【００５７】
補償層１７０はほぼ層５６の厚さに等しい及び／又はほぼ層５８の厚さに等しい厚さを有するガラス層であってもよい。しかしながら、これは単なる例示に過ぎない。所望する場合、補償層１７０は層５６及び／又は５８の厚さとは異なる厚さを有するガラス層であってもよく、又は補償層１７０はポリマー材料（例えば、ポリスチレンフィルム、ポリスルホン材料又はポリメチルメタクリレート（ＰＭＭＡ）などの熱可塑性ポリマー）などのガラス以外の材料から形成されてよい。
【００５８】
層１７０がガラス以外の材料から形成されている構成において、層１７０は（例として）０．００１マイクロメートルと３００マイクロメートルの間、０．００１マイクロメートルと１０マイクロメートルの間、０．００１マイクロメートルと１００マイクロメートルの間、１０マイクロメートルと３００マイクロメートルの間、０．００１マイクロメートルより大きい、１０００マイクロメートル未満又は１００ロメートルと３００マイクロメートルの間の厚さを有するポリマー複屈折補償層であってよい。ＴＦＴ層５８及びカラーフィルタ層５６の厚さと同様にポリマー材料の光弾性定数及びポリマー材料のヤング率に基づいて層１７０の厚さを選択してよい。
【００５９】
複屈折補償層１７０はヤング率などのその他の特性を有し得る。複屈折補償層１７０は応力下で層１７０が層５６及び／又は層５８による光４４の偏光の変化を補償をする光４４などの光の偏光の変化を引き起こすように選択された厚さ、ヤング率及び（応力光学定数と称されることもある）光弾性定数を有し得る。
【００６０】
図１１Ａに示されているディスプレイ１４の層を上部偏光子５４及び下部偏光子６０などの上部及び下部偏光子（図１１Ａには示さず）の間に挟むことができる。図１１Ａの実施例では、接着剤１７２を用いて補償層１７０は表面ＴＦＴ基板５８に取り付けられている。接着剤１７２は接着剤シーラント１０６と同一の材料から形成されてよく、又は別の接着剤材料から形成されてよい。接着剤１７２は補償層１７０と薄膜トランジスタ層５８の間で矩形環状にディスプレイ１４の周辺に延びることができる。接着剤１７２の存在により補償層１７０上の引張応力を層５８上の任意の引張応力に類似したものにすることができる。このように、補償層１７０によって生成された複屈折効果は薄膜トランジスタ層５８によって生成された複屈折効果の影響を少なくとも部分的に弱めることができる。
【００６１】
光４４などのディスプレイバックライトの偏光の挙動が各光軸の配向、光弾性定数及びディスプレイ１４内の各層の厚さにより影響を受ける。図１１Ｂの光軸１５０は応力誘発性複屈折を示し得る薄膜トランジスタ層（ＴＦＴガラス）５８に関連してよい。図１１Ｂの光軸１５２は液晶（ＬＣ）層５２に関連してよい。図１１Ｂの光軸１５１は応力誘発性複屈折を示し得る複屈折補償層１７０に関連してよい。光軸１５４は応力誘発性複屈折を示し得るカラーフィルタ層５６に関連してよい。
【００６２】
図１１Ｂに示すように、光４４はまず直線偏光される（点Ｐ１）。複屈折補償層１７０を通過した後、光４４の偏光は図１１Ｂのポアンカレ球上の点Ｐ２により表してよい（すなわち、層１７０の応力誘発性複屈折により光４４は直線偏光から楕円偏光に変換されてもよい）。図１１Ｂのポアンカレ球の表面上の線１５６に沿った点Ｐ１から点Ｐ２への遷移は補償層（補償ガラス）光軸１５１を中心にした回転に関連する。光４４が層５８を通過した後、光４４の偏光は点Ｐ３により表してよい。層１７０は層５８の光弾性定数とほぼ反対の光弾性定数を有するので、層５８における複屈折による光４４の偏光の変化は光４４が層１７０を通過した場合に起きた一部又は全ての偏光変化を元に戻すことができる。図１１Ａの層５８を通って点Ｐ２からＰ３へ光４４の偏光状態の遷移は、線１５８に沿って図１１Ｂにおいて偏光状態Ｐ２から偏光状態Ｐ３への遷移で表される。
【００６３】
補償層１７０の存在により、偏光状態Ｐ３における光４４は層５２及び５６を通過すると従来のディスプレイ配置よりもより楕円偏光されない（より直線偏光される）。図１１Ｂに示すように、図１１Ａの液晶層５２を通って点Ｐ３から点Ｐ４へ進む場合の光４４の偏光状態の遷移は線１６０により表してよく、カラーフィルタ層５６を通って点Ｐ４から点Ｐ５へ進む場合の光４４の偏光状態の遷移は線１６２によって表してもよい。点Ｐ５において光４４は楕円偏光されるが、点Ｐ５における光４４は図１０Ａ及び１０Ｂの点Ｄにおける従来の光よりもより直線偏光され、それによって光漏れを低減し、ディスプレイ１４の性能を向上する。
【００６４】
複屈折補償層１７０が薄膜トランジスタ層５８に取り付けられる図１１Ａの実施例は、単なる例示に過ぎない。所望する場合、層１７０は、図１２に示すようにカラーフィルタ層に取り付けられてよい。図１２に示すように、層１７０は接着剤１７２を用いてカラーフィルタ基板５６に取り付けられてよい。この種の構成において、接着剤１７２は補償層１７０とカラーフィルタ層５６の間で矩形環状にディスプレイ１４の周辺に延びることができる。接着剤１７２の存在により補償層１７０上の引張応力を層５６上の任意の引張応力に類似したものにすることができる。このように、補償層１７０によって生成された複屈折効果は（層５２及び５８によって生成された効果と同様に）層５６によって生成された複屈折効果の影響を少なくとも部分的に弱めることができる。
【００６５】
図１３Ａは上部偏光子５４と下部偏光子６０の間のディスプレイ１４の中間層のために用いてよい別の例示的な構成の図である。図１３Ａに示すように、補償層１７０は、接着剤層１７４などの光学的に透明な接着剤の層を用いて層５８に取り付けられてよい。ほぼ全ての層１７０の表面が層５８に取り付けられるように、接着剤層１７４は層１７０と層５８の間の隙間を実質的に埋めることができる。
【００６６】
接着剤層１７４は、例えば、感圧接着剤から形成されてよい。接着剤１７４は１００ＭＰａより大きい強度又は層５８上の引張応力を効率的に層１７０上の適合する応力に伝達するためのその他の好適な接着強度を有する材料から形成されてよい。
【００６７】
図１３Ｂに示すように、光４４は（図１３Ｂの点Ｐ１によって示されるように）まず直線偏光される。複屈折補償層１７０を通過した後、光４４の偏光は図１３Ｂのポアンカレ球上の点Ｐ２によって表されてもよい。図１３Ｂのポアンカレ球の表面上の線１７６に沿った点Ｐ１から点Ｐ２への遷移は補償層（補償ガラス）光軸１５１を中心にした回転に関連する。
【００６８】
光４４が接着剤層１７４及び薄膜トランジスタ層５８を通過した後、光４４の偏光は点Ｐ３により表してよい。図１３Ａの層５８を通って点Ｐ２からＰ３への場合の光４４の偏光状態の遷移は線１７８に沿って図１３Ｂにおいて偏光状態Ｐ２から偏光状態Ｐ３への遷移で表される。図１３Ａの層１７０は延在する接着剤層１７４により層５８に取り付けられているので、層５８における複屈折による光４４の偏光の変化は、光４４が層１７０を通過した場合に起きた偏光変化により、図１１Ｂに関連した上記の補償よりもより厳密に補償可能である。
【００６９】
図１３Ｂに示すように、図１３Ａの液晶層５２を通って点Ｐ３から点Ｐ４へ進む場合の光４４の偏光状態の遷移は線１８０により表してよく、カラーフィルタ層５６を通って点Ｐ４から点Ｐ５へ進む場合の光４４の偏光状態の遷移は線１８２によって表してもよい。点Ｐ５において光４４は依然として楕円偏光されるが、層１７０は層５８のほぼ表面全体に沿って層５８に取り付けられているので、図１３Ｂの点Ｐ５における光４４は図１１Ｂの点Ｐ５における光４４よりもより直線偏光され得る。
【００７０】
接着剤層１７４を用いて複屈折補償層１７０が薄膜トランジスタ層５８に取り付けられる図１３Ａの実施例は、単なる例示に過ぎない。所望する場合、図１４に示すように接着剤層１７５は層１７０をカラーフィルタ層５６に取り付けられてよい。図１４に示すように、接着剤層１７４は補償層１７０とカラーフィルタ層５６の間の空間を実質的に埋めることができ、それによって層１７０のほぼ全ての表面が層５６の表面に取り付けられる。接着剤層１７４の存在により層５６上の引張応力を補償層１７０に伝達することにおいて図１２の接着剤１７２よりもより効率的であり得る。ディスプレイ１４の図１４の構成は、従って、ディスプレイ１４からの光漏れを低減することにおいて従来のディスプレイよりもより効率的であり得、光漏れを低減することにおいて図１２に示すタイプのディスプレイよりもより効率的であり得る。
【００７１】
所望する場合、図１５Ａに示すように、ディスプレイ１４は複数の複屈折補償層を設けることができる。図１５Ａの実施例では、ディスプレイ１４は下部複屈折補償層１７０Ｌ及び上部複屈折補償層１７０Ｕを含む。接着剤層１７４Ｌなどの下部接着剤層を用いて、下部複屈折補償層１７０Ｌは薄膜トランジスタ層５８に取り付けられてよい。接着剤層１７４Ｕなどの上部接着剤層を用いて、上部複屈折補償層１７０Ｕはカラーフィルタ層５６に取り付けられてよい。
【００７２】
複屈折補償層１７０Ｕ及び１７０Ｌは（例として）−３．０と−３．６ブリュースターの間、０ブリュースターと−３．６ブリュースターの間、−０．１ブリュースターと−０．３ブリュースターの間、−０．１ブリュースターと３．０ブリュースターの間又は０ブリュースター未満の光弾性定数などの負の光弾性定数を有するガラスから形成されてよい。一般に、光弾性定数及び補償層１７０Ｌ及び１７０Ｕの厚さを層５６及び５８における応力による複屈折効果を補償するための任意の好適な組み合わせにおいて選択してよい。図１５Ａに示されているディスプレイ１４の層を上部偏光子５４及び下部偏光子６０などの上部及び下部偏光子（図１５Ａには示さず）の間に挟むことができる。
【００７３】
下部接着剤層１７４Ｌは層１７４Ｌと層５８の間の隙間を実質的に埋めることができる。上部接着剤層１７４Ｕは層１７４Ｕと層５６の間の隙間を実質的に埋めることができる。接着剤層１７４Ｕ及び１７４Ｌは、例えば、感圧性接着剤などの接着剤材料から形成されてよい。例としては、接着剤層１７４Ｕ及び１７４Ｌは１９０ＭＰａと２１０ＭＰａの間、１５０ＭＰａと２５０ＭＰａの間、１５０ＭＰａより大きい、１９０ＭＰａより大きい強度又はその他の好適な接着強度を有する感圧接着剤であってもよい。しかしながら、これらの実施例は単なる例示に過ぎない。所望する場合、任意の好適な接着剤材料を使用して、補償層１７０Ｌ及び１７０Ｕがそれぞれ層５８及び５６に取り付けられてよい。
【００７４】
図１５Ｂに示すように、光４４は（図１５Ｂの点Ｐ１によって示されるように）まず直線偏光される。下部複屈折補償層１７０Ｌを通過した後、光４４の偏光は図１５Ｂのポアンカレ球上の点Ｐ２によって表されてもよい。図１５Ｂのポアンカレ球の表面上の線１９６に沿った点Ｐ１から点Ｐ２への遷移は底部補償層（底部補償ガラス）光軸１５１’を中心にした回転に関連する。
【００７５】
光４４が下部接着剤層１７４Ｌ及び薄膜トランジスタ層５８を通過した後、光４４の偏光は点Ｐ３により表してよい。図１５Ａの層５８を通る点Ｐ２からＰ３への光４４の偏光状態の遷移は、線１９８に沿って図１５Ｂにおいて偏光状態Ｐ２から偏光状態Ｐ３への遷移で表される。
【００７６】
点Ｐ３における光が薄膜トランジスタ層５８及び下部補償層１７０Ｌの両方を通過したので、液晶層５２を通過する場合に光４４は最小限の又は無視できる回転を受け得る。図１５Ａのカラーフィルタ層５６を通って点Ｐ３から点Ｐ４へ進む場合の光４４の偏光状態の遷移は線２００によって表されてもよい。上部複屈折補償層１７０Ｕを通って点Ｐ４から点Ｐ５へ進む場合の光４４の偏光状態の遷移は頂部補償層（頂部補償ガラス）光軸１５１’’を中心に線２０２によって表されてもよい。図１５Ａのディスプレイ１４は上部及び下部複屈折補償層が設けられるので、点Ｐ５における光４４は実質的に直線偏光され得、それによって無視できるレベルに光漏れを低減し、ディスプレイ１４の性能を向上する。
【００７７】
接着剤を用いて複屈折補償層１７０が層５６及び／又は５８に取り付けられた図１１Ａ、１２、１３Ａ、１４及び１５Ａの実施例は単なる例示に過ぎない。所望する場合、図１６の複屈折補償層１７０Ｕ及び１７０Ｌなどの複屈折補償層はポリマーコーティング又は層５６及び／又は５８にコーティングするか又は積層するポリスチレンフィルムなどの接合されたポリマー材料から形成されてよい。
【００７８】
図１６の実施例では、補償層１７０Ｌ及び１７０Ｕはポリマー材料（例えば、ポリスチレンフィルム、ポリスルホン材料、ポリメチルメタクリレート（ＰＭＭＡ）などの熱可塑性ポリマー又はその他の好適な材料）から形成される。このタイプのポリマー複屈折補償層は（例として）０．１ｍｍと０．６ｍｍの間、０．０５ｍｍと０．３ｍｍの間、０．０５ｍｍと０．４ｍｍの間、０．３ｍｍと０．６ｍｍの間、１ｍｍ未満又は１マイクロメートルより大きい厚さを有し得る。
【００７９】
図１６に示すタイプのポリマー複屈折補償層は、所望する場合、層５６及び／又は層５８が応力を加えられる場合の層５６及び／又は層５８による光４４の偏光の変化を補償をする光４４の偏光の変化を生じさせるように構成された応力光学係数、厚さ及びヤング率を有し得る。
【００８０】
例として、層５６及び５８は３．０ブリュースターと３．６ブリュースターの間の応力光学係数及び６５ギガパスカル（ＧＰａ）と８５ＧＰａの間のヤング率を有し得る。一つの好適な実施例では、ポリマー補償層１７０Ｕ及び１７０Ｌは−４５ブリュースターと−６５ブリュースターの間の応力光学係数及び３．０ＧＰａと３．６ＧＰａの間のヤング率を有するポリスチレン層から形成されてよい。別の実施例では、ポリマー補償層１７０Ｕ及び１７０Ｌは−４５ブリュースターと−６５ブリュースターの間の応力光学係数及び２．０ＧＰａと１０ＧＰａの間のヤング率を有するポリスルホン層から形成されてよい。第３の実施例では、ポリマー補償層１７０Ｕ及び１７０Ｌは−１ブリュースターと−４．５ブリュースターの間の応力光学係数及び１．０ＧＰａと４．０ＧＰａの間のヤング率を有するＰＭＭＡ材料から形成されてよい。一般に、ポリマー補償層１７０Ｕ及び１７０Ｌなどのポリマー補償層は−１０ブリュースター未満である負の光弾性定数及び４０ＧＰａより小さいヤング率を有し得る。
【００８１】
ディスプレイ１４が２つのポリマー複屈折補償層を含む図１６の実施例は単なる例示に過ぎない。所望する場合、ディスプレイ１４は図１６のポリマー補償層１７０Ｌ及び１７０Ｕのうちの選択された１つなどの単一のポリマー複屈折補償層を設けることができる。
【００８２】
一実施形態によれば、上部偏光子、下部偏光子、液晶層、上部偏光子と液晶層の間に挟入された第１のガラス層、下部偏光子と液晶層の間に挟入された第２のガラス層及び上部偏光子と下部偏光子の間に配置された第３のガラス層を含むディスプレイが提供される。
【００８３】
別の実施形態によれば、第１のガラス層はカラーフィルタ層を含む。
【００８４】
別の実施形態によれば、第２のガラス層は薄膜トランジスタ層を含む。
【００８５】
別の実施形態によれば、第３のガラス層は薄膜トランジスタ層に取り付けられている。
【００８６】
別の実施形態によれば、第３のガラス層はカラーフィルタ層に取り付けられている。
【００８７】
別の実施形態によれば、ディスプレイは薄膜トランジスタ層に取り付けられている第４のガラス層を含む。
【００８８】
別の実施形態によれば、ディスプレイは上部偏光子と下部偏光子の間に配置された第４のガラス層を含む。
【００８９】
別の実施形態によれば、第３のガラス層は負の光弾性定数を有する。
【００９０】
別の実施形態によれば、負の光弾性定数は−３．０ブリュースター未満の値を有する。
【００９１】
一実施形態によれば、上部偏光子、下部偏光子、液晶層、上部偏光子と液晶層の間に挟入された第１のガラス層、下部偏光子と液晶層の間に挟入された第２のガラス層、上部偏光子と第１のガラス層の間に挟入された第１のポリマー層及び下部偏光子と第２のガラス層の間に挟入された第２のポリマー層を含むディスプレイが提供される。
【００９２】
別の実施形態によれば、第１のポリマー層はポリスチレン、ポリスルホン及びポリメチルメタクリレートからなる群から選択されたポリマー材料を含む。
【００９３】
別の実施形態によれば、第１及び第２のポリマー層は各々負の光弾性定数を有する。
【００９４】
別の実施形態によれば、第１及び第２のガラス層は各々正の光弾性定数を有する。
【００９５】
別の実施形態によれば、第１及び第２のポリマー層の各々の負の光弾性定数は−１０ブリュースター未満である。
【００９６】
別の実施形態によれば、第１及び第２のポリマー層は各々３０ＧＰａ未満のヤング率を有する。
【００９７】
別の実施形態によれば、第１のガラス層はカラーフィルタ層を含む。
【００９８】
別の実施形態によれば、第１のポリマー層はカラーフィルタ層上に形成される。
【００９９】
一実施形態によれば、第１の偏光子、第２の偏光子、液晶層、第１の偏光子と液晶層の間に挟入された第１の透明層、第２の偏光子と液晶層の間に挟入された第２の透明層及び第１及び第２の透明層における応力誘発性複屈折の補償をするように構成される、第２の透明層と第２の偏光子の間に配置された複屈折補償層を含むディスプレイが提供される。
【０１００】
別の実施形態によれば、第１の透明層はガラスカラーフィルタ層を含み、第２の透明層はガラス薄膜トランジスタ層を含む。
【０１０１】
別の実施形態によれば、複屈折補償層はガラスを含む。
【０１０２】
別の実施形態によれば、ディスプレイは複屈折補償層がガラス薄膜トランジスタ層に取り付けられる接着剤材料を含み、接着剤材料は複屈折補償層とガラス薄膜トランジスタ層の間で矩形環状の接着剤を形成する。
【０１０３】
別の実施形態によれば、ディスプレイは複屈折補償層をガラス薄膜トランジスタ層に取り付ける光学的に透明な接着剤材料の層を含む。
【０１０４】
別の実施形態によれば、複屈折補償層はポリマー材料を含む。
【０１０５】
別の実施形態によれば、ディスプレイは第１の透明層と第１の偏光子の間に配置された付加的な複屈折補償層を含む。
【０１０６】
以上のものは、本発明の原理の単なる例示であり、当業者は、本発明の範囲及び趣旨から逸脱することなく様々な修正を行うことができる。
【図１】
2016518627.tif 000003
【図２】
2016518627.tif 000004
【図３】
2016518627.tif 000005
【図４】
2016518627.tif 000006
【図５】
2016518627.tif 000007
【図６】
2016518627.tif 000008
【図７】
2016518627.tif 000009
【図８】
2016518627.tif 000010
【図９】
2016518627.tif 000011
【図１０Ａ】
2016518627.tif 000012
【図１０Ｂ】
2016518627.tif 000013
【図１１Ａ】
2016518627.tif 000014
【図１１Ｂ】
2016518627.tif 000015
【図１２】
2016518627.tif 000016
【図１３Ａ】
2016518627.tif 000017
【図１３Ｂ】
2016518627.tif 000018
【図１４】
2016518627.tif 000019
【図１５Ａ】
2016518627.tif 000020
【図１５Ｂ】
2016518627.tif 000021
【図１６】
2016518627.tif 000022
【国際調査報告】
2016518627.tif 000023
2016518627.tif 000024